(57)【要約】    【課題】  撮像デバイス用の組立体の正確な位置決めやアライメントを維持可能とし、加えて組立体の大きさを小型化することも可能とする。    【解決手段】  プラテンガラスに載置された原稿の画像等を読みとるための撮像デバイス用の組立体１１０は、結像レンズ１１８と、結像レンズ１１８と物理的に一体化された光スペーサ１２０と、光スペーサ１２０と物理的に一体化された光検知システム１２６とを備える。画像からの光１１２は、光学部品１１４の反射面１１６で反射され、結像レンズ１１８中に導かれる。結像レンズ１１８から出射した光は、光スペーサ１２０の反射面１２２、１２４で順次反射されて光検知システム１２６に導かれ、結像する。    【選択図】    図４
2004343748.tif 000002
【特許請求の範囲】
【請求項１】
撮像デバイス用の組立体であって、
結像レンズと、
少なくとも１つの反射面を含む光スペーサであって、前記結像レンズと物理的に一体化された光スペーサと、
前記光スペーサと物理的に一体化された光検知システムと、
を備えることを特徴とする組立体。
【請求項２】
組立体であって、前記結像レンズはロッドレンズアレイを含むことを特徴とする請求項１に記載の組立体。
【請求項３】
組立体であって、前記光スペーサは、前記結像レンズから画像光を受け、該画像光を前記光検知システムへと導くように作用する少なくとも２つの反射面を有する光透過性部品を含むことを特徴とする請求項１に記載の組立体。
【請求項４】
組立体であって、さらに、前記結像レンズと物理的に一体化されており、かつ画像光を受け、該画像光を該組立体の長軸に沿って前記結像レンズへと導くように作用する少なくとも１つの反射面を有する光学部品を備えることを特徴とする請求項１に記載の組立体。
【請求項５】
組立体であって、前記光スペーサおよび前記結像レンズは射出成形によって形成されることを特徴とする請求項１に記載の組立体。
【請求項６】
組立体であって、前記光スペーサは、互いに平行な少なくとも２つの反射面を含むことを特徴とする請求項１に記載の組立体。
【請求項７】
組立体であって、前記光スペーサは、互いに平行ではない少なくとも２つの反射面を含むことを特徴とする請求項１に記載の組立体。
【請求項８】
組立体であって、前記光スペーサは直角プリズムを含むことを特徴とする請求項１に記載の組立体。
【請求項９】
組立体であって、前記光スペーサは、不規則な形状のプリズムを含むことを特徴とする請求項１に記載の組立体。
【請求項１０】
撮像組立体であって、
結像レンズと、
前記結像レンズに物理的に当接して一体的に連結されており、少なくとも２つの反射面を含む光透過性スペーサと、
前記光透過性スペーサに物理的に当接して一体的に連結された光検知システムとを備え、
それにより、前記結像レンズおよび前記スペーサに入射する画像光が前記少なくとも２つの反射面によって前記光検知システムへと導かれる、
ことを特徴とする撮像組立体。
【発明の詳細な説明】
【技術分野】
【０００１】
本発明は、一般に、画像形成デバイスの分野に関し、特に小型の一体型光結像組立体に関する。
【背景技術】
【０００２】
スキャナ、コピー機、ファクシミリ装置、多機能デバイス等の光画像形成デバイスは、紙文書、写真、トランスペアレンシ、および他の対象物を「読み込んで」その画像を生成することができる。生成された走査画像は、コンピュータ画面に表示される、印刷される、かつ／または電子手段を介して遠隔地へ送信されることができる。
【０００３】
通常の画像形成デバイスは、照明源、光学系、および光検知システムを含む光結像組立体を含む場合がある。照明源が、走査中の対象物の一部に光を投射し、光学系が、照明された対象物によって反射された光を集光する。次に光検知システムが、反射光を検出し、検出した光に応じて電気信号を生成する。
【発明の開示】
【発明が解決しようとする課題】
【０００４】
画像形成デバイスの様々な構成部品からなる組立体は、照明源からの光が対象物の標的走査領域を適切に照明し、かつ反射光が光検知システムに適切に合焦することを確実にするために、正確な位置決め、向きおよびアライメントを必要とすることが多い。組立体中の様々な構成部品の位置および向きは、鮮明な走査画像を維持するために固定されていなければならない。加えて、組立体の大きさを小型化することも求められている。
【課題を解決するための手段】
【０００５】
本発明の一実施形態によれば、撮像デバイス用の組立体が、結像レンズと、少なくとも１つの反射面を含む光スペーサであって、結像レンズと物理的に一体化された光スペーサと、前記光スペーサと物理的に一体化された光検知システムとを備える。
【０００６】
本発明の別の実施形態によれば、撮像組立体が、結像レンズと、当該結像レンズに物理的に当接して一体的に連結されている光透過性スペーサであって、少なくとも２つの反射面を含む光透過性スペーサとを備える。本組立体はさらに、光透過性スペーサに物理的に当接して一体的に連結された光検知システムを備える。結像レンズおよびスペーサに入射する画像光が少なくとも２つの反射面によって光検知システムへと導かれる。
【０００７】
本発明とその目的および利点のより完全な理解のために、次に、添付図面に関して考慮される以下の説明を参照する。
【発明を実施するための最良の形態】
【０００８】
本発明の好ましい実施形態および利点は、図面の図１ないし図５を参照することにより最もよく理解される。図面において、同様の番号が様々な図面の同様の対応する部分に用いられる。
【０００９】
図１は、本発明による小型の一体型結像組立体１０の水平実施形態の側断面略図（cross-sectional schematic side view）である。小型の一体型結像組立体１０は、コピー機、スキャナ、ファクシミリ装置、多機能デバイス等の無数の撮像デバイス内で使用されることができる。小型の一体型結像組立体１０は、互いに一体化された一体型光学系１２および光検知システム１４を含む。結像組立体１０は、最上部にプラテン１１を有する小型ハウジング内に収容される。照明源１７（発光ダイオード（ＬＥＤ）アレイ、または現在既知であるか今後開発される任意の他の適切な発光素子等）からの入射光１６が、対象物１８の走査領域に当たる。対象物１８は、結像組立体１０のプラテン１１または結像窓の反対側に載せられた紙文書、写真、トランスペアレンシ、フィルムまたは別の対象物である可能性がある。入射光１６は、対象物１８に当たって反射され、画像光２０として結像組立体の一体型光学系１２に向かう。別法として、入射光１６’は、反対側から対象物１８に当たってこれを通り抜け、画像光２０として一体型光学系１２に向かってもよい。画像光２０は、光検知システム１４に到達する前に、一体型光学系１２によって導かれ合焦される。一体型光学系１２は、レンズおよび／または反射鏡等の様々な光学部品のいずれを含んでもよい。
【００１０】
画像光２０は、画像光２０の経路の方向を変えるように作用するとともに一体型光学系１２の第１の端部２１に配置された第１の光学部品２２を介して結像組立体１０に入射する。第１の光学部品２２は、傾斜した反射面２４を含む。画像光２０は、傾斜した反射面２４に当たって反射され、結像組立体１０の第２の端部２５に配置された光検知システム１４に向かう。反射面２４は、一体型光学系１２の選択された斜面上に形成された金属面または鏡面とすることができる。反射面２４の傾斜角は、対象物１８により反射された画像光２０がさらに反射されて、光検知システム１４の光検出器に標的を合わせられる（target）ように選択される。一体型光学系１２の第１の光学部品２２は、光学的に透明な、すなわち光透過性の接着剤によって光学系の残りの部分に取り付けられるか、あるいは搭載されることができる。Norland Products Inc.（Cranbury, New Jersey）製の接着剤（ＮＯＡ６１等）を用いることができる。第１の光学部品２２を光学系１２と一体化させる他の手段も用いることができる。例えば、第１の光学部品２２は、機械的手段により光学系１２にクランプされるか、または固着されることができる。あるいは透過部２２は、射出成形または他の適切な方法により一体型光学系１２と一体的に形成されてもよい。
【００１１】
好ましい実施形態において、一体型光学系１２は、マイクロレンズアレイや屈折率分布（ＧＲＩＮ）レンズ等の結像レンズ２６を含む。結像レンズ２６は、ガラス、プラスチックまたは別の適切な材料から作製された１つの円柱要素または円柱要素のアレイを含んでもよい。本明細書中では、好ましい実施形態においてＳＥＬＦＯＣ（日本板硝子株式会社（Nippon Sheet Glass Company, Limited）の登録商標）の商品名で販売されているタイプのようなＧＲＩＮレンズを使用することができる。結像レンズ２６と光検知システム１４の間には第２の光学部品２８が連結されている。第２の光学部品２８は、１つの中実で概ね透過性の材料（ガラス、光学品質のプラスチックまたは別の適切な材料等）でできていることが好ましい光スペーサである。結像レンズ２６を出た画像光２０は、光スペーサ２８に入射して進んで行き、合焦され、光検知システム１４のセンサ（明示せず）に標的を合わせられる（結像される）。好ましい実施形態において、光検知システム１４は、光検出器アレイ、集積型光検出器（電荷結合素子（ＣＣＤ）等）、相補型金属酸化膜半導体（ＣＭＯＳ）画像センサ、または現在既知であるか今後開発される別の適切なセンサを含む。概ね透過性の接着剤を用いて、結像レンズ２６、光スペーサ２８および光検知システム１４を一体化および接着することができる。別法として、機械的手段を用いて同じことを成し遂げることもできる。したがって第１の光学要素２２、結像レンズ２６、光スペーサ２８、および光検知システム１４は、互いに物理的（機械的）に当接させて１つの単一体構造物（a single unitary piece of construction）を形成することができる。
【００１２】
画像光２０が光検知システム１４のセンサアレイに到達すると、画像光２０の強度に応じた可変電流が発生する。可変電流は、デジタル信号に変換され、走査中の対象物における明領域および暗領域として解釈される。光検知システム１４が発生した信号は、画像形成デバイス中のマイクロプロセッサまたはコントローラに伝送されることができ、処理されるか、あるいは他の方法で操作される。
【００１３】
図２は、本発明による小型の一体型結像組立体の垂直実施形態５０の側断面略図である。垂直結像組立体５０は概ね、走査中の対象物から反射された画像光と同じ軸に沿った向きにある。結像組立体５０は、互いに一体化された光学系５２および光検知システム５４を含む。照明源（図示せず）（発光ダイオード（ＬＥＤ）アレイ、および現在既知であるか今後開発される任意の他の適切な発光素子等）からの入射光が、対象物５８の走査領域に当たる。入射光は、対象物５８に当たり、画像光６０として結像組立体の光学系５２の概ね透過性の端部６１に向かって投射される。垂直結像組立体５０は、対象物５８から来る画像光６０と同じ軸に沿った向きにあるため、他の光学部品を使用して画像光６０の経路を変更する必要がない。
【００１４】
画像光６０は、光を導く、合焦させる、あるいは他の方法で光に作用するレンズおよび／または反射鏡等の様々な光学部品のいずれかを含む可能性がある光学系５２に入射する。好ましい実施形態において、光学系５２は、マイクロレンズアレイやＧＲＩＮレンズ等の結像レンズ６２を含む。結像レンズ６２は、ガラス、光学品質のプラスチックまたは別の適切な材料から作製された円柱要素のアレイを含んでもよい。結像レンズ６２と光検知システム５４の間には光スペーサ６４が一体的に連結されている。光スペーサ６４は、１つの中実で概ね透過性の材料（ガラス、光学品質のプラスチックまたは別の適切な材料等）でできていることが好ましい。結像レンズ６２を出た画像光６０は、光スペーサ６４に入射して進んで行き、合焦され、光検知システム５４のセンサに標的を合わせられる。好ましい実施形態において、光検知システム５４は、コンタクトイメージセンサ、光検出器アレイ、集積型光検出器（電荷結合素子等）、または現在既知であるか今後開発される別の適切なセンサを含む。画像光６０が光検知システム５４のセンサアレイに到達すると、走査中の対象物における明領域および暗領域を示す可変電流が発生する。光検知システム５４が発生した信号は、画像形成デバイス中のマイクロプロセッサまたはコントローラに伝送されることができ、処理されるか、あるいは他の方法で操作される。
【００１５】
接着剤、機械的デバイスまたは他の適切な手段を用いて、結像レンズ６２、光スペーサ６４、および光検知システム５４を一体的に連結して１つの単一体構造物にすることができ、それにより構成部品の正確なアライメントを達成することができる。さらに、結像組立体５０の構成部品を直接連結することにより寸法が非常に小型となる。
【００１６】
撮像デバイスの所望の用途（例えばフラットベッドスキャナやポータブルスキャナ等）に応じて、小型の一体型結像組立体の水平あるいは垂直の向きを有利に用いることができる。結像組立体は小型であるため、ポータブルまたはハンドヘルド撮像デバイス用途に容易に適用することができる。さらに、一体型の構造により、構成部品を正確に位置決めする時間および費用の大部分をなくし、依然として正確なアライメントを達成する。
【００１７】
図３は、本発明による小型の一体型結像組立体の別の水平実施形態８０の側断面略図である。結像組立体８０は、図１に示す結像組立体１０よりも組立体占有面積（footprint）をさらに小型にするために様々な光学部品を使用する。照明源（図示せず）（発光ダイオードアレイ、および現在既知であるか今後開発される任意の他の適切な発光素子等）からの入射光が、対象物（図示せず）の走査領域に当たる。照明源からの光は、対象物に当たり、画像光８２として結像組立体８０へ進む。画像光８２は、透過性の第１の光学部品（透過部）８４を介して結像組立体８０に入射する。画像光は、そのままの経路を進み、結像組立体８０の傾斜した反射面８６に当たって反射され、結像組立体８０の長軸とアライメントされている主軸に沿って、マイクロレンズアレイやＧＲＩＮレンズ等の結像レンズ８８に向かう。反射面８６は、光学系の選択された斜面上に形成された金属面または鏡面とすることができる。光学組立体の透過部８４は、光学的に透明な、すなわち光透過性の接着剤によって光学系に取り付けられるか、あるいは搭載されることができる。あるいは透過部８４は、射出成形または他の適切な方法により光学系のレンズ部８８と一体的に形成されてもよい。構成部品同士を固着させる機械的手段を用いてもよい。
【００１８】
画像光８２は、光学系によって導かれ合焦された後に、結像レンズ８８に一体的に連結された光スペーサ９０へと導かれる。光スペーサ９０は、１つの中実で概ね透過性の材料（ガラス、光学品質のプラスチックまたは別の適切な材料等）でできており、選択された表面が反射するようになっている。結像レンズ８８を出た画像光８２は、光スペーサ９０に入射して進んで行き、合焦され、光検知システム９６のセンサ（明示せず）へと導かれる。本発明のこの実施形態において、光スペーサ９０は、結像レンズ８８から光を受けるように作用する透過窓９１と、第２の透過窓９５を介して画像光を光検知システム９６へ導く反射面９２および９４とを含む。反射面９２は、光検知システム９６と光スペーサ９０との間の境界面の一部を占め、画像光経路の主軸に対して非垂直の角度αで配置されている。その結果、光スペーサ９０は、複雑な形状および１つまたは複数の反射面を含む。透過窓９１を介して入射し、反射面９２および９４により反射された画像光は、光検知システム９６の光検出器へと導かれる。また、光スペーサ９０の表面を、光が一方向にしか通過できないようにする物質または工程により処理するものであってもよよい。そのようにすれば、いったん光スペーサ９０に入射した光は、窓９５を介して光検知システム９６に到達するまで反射される。
【００１９】
好ましい実施形態において、光検知システム９６は、光検出器アレイ、集積型光検出器（電荷結合素子（ＣＣＤ）等）、ＣＭＯＳ画像センサ、または現在既知であるか今後開発される別の適切なセンサを含む。光検知システム９６は、光スペーサ９６と光検知システム９６の間の境界面に概ね透過性の接着剤を用いることによって、光学系に連結または搭載される。
【００２０】
図４は、本発明による小型の一体型結像組立体のさらに別の水平実施形態１１０の側断面略図である。上述して図３に示した結像組立体８０の複雑な光スペーサの構成に代わり、結像組立体１１０は、画像光の主軸に対して所定の角度で搭載されて、画像光を合焦させて光検出器へと導く、単純な光スペーサ構成を使用する。照明源（図示せず）からの入射光は、対象物（図示せず）の走査領域に当たる。照明源からの光は対象物に当たり、画像光１１２として結像組立体１１０へと進む。画像光１１２は、組立体１１０の透過性の光学部品１１４を介して組立体１１０に入射する。光は、そのままの経路を進んで行って光学部品１１４の傾斜した反射面１１６に当たり、反射され、結像組立体１１０の長軸とアライメントされている主軸に沿って、光学系のマイクロレンズアレイ、ＧＲＩＮレンズまたは別の適切な光学素子等の結像レンズ１１８に向かう。反射面１１６は、光学系の選択された斜面上に形成された金属面または鏡面とすることができる。光学組立体の透過部１１４は、光学的に透明な、すなわち光透過性の接着剤によって光学系に取り付けられるか、あるいは搭載されることができる。あるいは透過部１１４は、射出成形または他の適切な方法により光学系のレンズ部１１８と一体的に形成されてもよい。機械的手段を用いて、構成部品同士を物理的に当接させ一体的に連結させて、１つの単一体構造物を形成してもよい。
【００２１】
画像光１１２は、光学系によって導かれ合焦された後に、光スペーサ１２０へと導かれる。光スペーサ１２０は、１つの中実で概ね透過性の材料（ガラス、光学品質のプラスチックまたは別の適切な材料等）でできており、選択された表面が反射するようになっている。結像レンズ１１８を出た画像光１１２は、透過窓１２１を介して光スペーサ１２０に入射して進んで行き、合焦され、第２の透過窓１２５を介して光検知システム１２６のセンサへと導かれる。本発明のこの実施形態において、光スペーサ１２０は、画像光を光検知システム１２６の光検出器へと導く２つ以上の反射面を含む。さらに光スペーサ１２０は、断面形状が長方形であるため、レンズ１１８に所定の角度でマウントされて、その平行な反射面１２２および１２４が双方とも、レンズ１１８を出る画像光経路に対してある角度で傾斜するようにする。図示のように、光スペーサ１２０の両側ならびにその上の反射面１２２および１２４は、画像光経路の主軸に垂直な軸から角度βで配置されている。その結果、光スペーサ１２０を通過する画像光１１２は、光スペーサ１２０の傾斜した反射面の１つまたは複数によって反射されて、光スペーサ１２０と一体的に連結された光検知システム１２６の光検出器へと導かれる。上述して図３に示した光スペーサ９０とは異なり、光スペーサ１２０は、単純で標準的な形状（例えば９０°の角および平行な側面を有する直角プリズム）を含む。透明なまたは光透過性の接着剤を用いて、光スペーサ１２０をレンズ１１８にしっかりと取り付け、光検知システム１２６を光スペーサ１２０に取り付けることができる。機械的手段を用いて、構成部品同士を物理的に当接させ完全に一体化させてもよい。
【００２２】
図５は、本発明による小型の一体型結像組立体の別の水平実施形態１４０の側断面略図である。照明源（図示せず）（発光ダイオードアレイ、および現在既知であるか今後開発される任意の他の適切な発光素子等）からの入射光が、対象物（図示せず）の走査領域に当たる。照明源からの入射光は、走査対象物に当たり、画像光１４２として結像組立体１４０に向かって投射され、結像組立体１４０の透過性の光学部品１４４を介して入射する。光は、そのままの経路を進み、光学部品の傾斜した反射面１４６に当たって反射され、結像組立体１４０の長軸とアライメントされている主軸に沿って、マイクロレンズアレイやＧＲＩＮレンズ等の結像レンズ１４８に向かう。反射面１４６は、光学系の選択された斜面上に形成された金属面または鏡面とすることができる。透過性の光学部品１４４は、光学的に透明な、すなわち光透過性の接着剤によって結像レンズ１４８に取り付けられるか、あるいは搭載されることができる。あるいは光学部品１４４は光学系のレンズ部１４８と、射出成形または他の適切な方法により一体的に形成されても、機械的手段により一体的に連結されてもよい。
【００２３】
画像光１４２は、結像レンズによって導かれ合焦された後に、光スペーサ１５０へと導かれる。光スペーサ１５０は、結像レンズ１４８に一体的に連結されており、１つの中実で概ね透過性の材料（ガラス、光学品質のプラスチックまたは別の適切な材料等）でできている。光スペーサ１５０を結像レンズ１４８に接着するには、光学的に透明な接着剤または別の適切な手段を用いることができる。結像レンズ１４８を出た画像光１４２は、光スペーサ１５０に入射して進んで行き、合焦され、光検知システム１５６のセンサ（明示せず）へと導かれる。本発明のこの実施形態において、光スペーサ１５０は、画像光を光検知システム１５６へと導く少なくとも１つの反射性の傾斜面を含む。図示のように、画像光１４２は、光経路の主軸に対してある角度で配置された第１の反射面１５４に当たり、次に画像光経路の主軸に略平行に配置された第２の反射面１５２に当たった後で、光検知システム１５６に到達する。本実施例において、光検知システム１５６は、上記実施形態のように光経路の主軸に対して垂直にではなく、当該主軸に対して略平行な面に配置された光検出器を含む。その結果、光スペーサ１５０は、複雑な形状および複数の反射面１５２および１５４を含む可能性がある。反射面１５２および１５４により反射された画像光は、光検知システム１５６の光検出器へと導かれる。光検出器は、画像光を受け、次に画像光にて伝達される明暗情報に応じた適切な電気信号を発生する。光検知システム１５６は、光学的に透明な接着剤を用いて光スペーサ１５０に一体的に連結されても、光スペーサ１５０と一体的に構築されてもよい。あるいは機械的手段を用いて、光検知システム１５６を光スペーサ１５０に密接に連結してもよい。
【００２４】
プリント回路基板または基部に搭載された、別個の分離した構成部品を用いる従来の構造のコンタクトイメージセンサモジュールと比較すると、結像組立体の様々な実施形態は、単一の小型装置となる一体型の光学部品および電気部品を含む。組立体占有面積が小さくなるため、携帯性を必要とする用途で小型組立体を用いることができる。さらに、単一の一体型装置を構築することによって、構成部品の正確なアライメントをより容易に達成することができる。
【００２５】
本発明の実施形態において、走査のための照明は、薄型のＬＥＤ光バー（light bar）、光ファイバー光ガイド、または現在既知であるか今後開発される他の技術によって発することができる。あるいは、既存の光源からの光（例えば結像組立体が液晶ディスプレイまたはＣＲＴモニタ内に配置されている実施形態では画面の輝き）を、対象物を走査するための照明源として用いることができる。さらに、光学部品または電気部品を一体化する方法は、接着剤、一体型構造を可能にする製造工程、または任意の他の適切な工程を用いて行ってもよい。図１ないし図５は理想化した略図であり、図示の寸法および角度は例示に過ぎないことを留意すべきである。さらに、光学組立体のいくつかの反射面では、完全な内部屈折（全反射の内面反射）を代わりに使用してもよい。
【００２６】
なお、本発明は例として次の態様を含む。（  ）内の数字は添付図面の参照符号に対応する。
［１］  撮像デバイス用の組立体（８０、１１０、１４０）であって、
結像レンズ（８８、１１８、１４８）と、
少なくとも１つの反射面を含む光スペーサであって、前記結像レンズ（８８、１１８、１４８）と物理的に一体化された光スペーサ（９０、１２０、１５０）と、
前記光スペーサ（９０、１２０、１５０）と物理的に一体化された光検知システム（９６、１２６、１５６）と、
を備えることを特徴とする組立体。
［２］  組立体（８０、１１０、１４０）であって、前記結像レンズ（８８、１１８、１４８）はロッドレンズアレイを含むことを特徴とする上記［１］に記載の組立体。
［３］  組立体（８０、１１０、１４０）であって、前記光スペーサ（９０、１２０、１５０）は、前記結像レンズ（８８、１１８、１４８）から画像光を受け、該画像光を前記光検知システム（９６、１２６、１５６）へと導くように作用する少なくとも２つの反射面（９２、９４、１２２、１２４、１５２、１５４）を有する光透過性部品を含むことを特徴とする上記［１］に記載の組立体。
［４］  組立体（８０、１１０、１４０）であって、さらに、前記結像レンズ（８８、１１８、１４８）と物理的に一体化されており、かつ画像光を受け、該画像光を該組立体（８０、１１０、１４０）の長軸に沿って前記結像レンズ（８８、１１８、１４８）へと導くように作用する少なくとも１つの反射面（８６、１１６、１４６）を有する光学部品（８４、１１４、１４４）を備えることを特徴とする上記［１］に記載の組立体。
［５］  組立体（８０、１１０、１４０）であって、前記光スペーサ（９０、１２０、１５０）および前記結像レンズ（８８、１１８、１４８）は射出成形によって形成されることを特徴とする上記［１］に記載の組立体。
［６］  組立体（８０、１１０、１４０）であって、前記光スペーサ（９０、１２０、１５０）は、互いに平行な少なくとも２つの反射面（１２２、１２４）を含むことを特徴とする上記［１］に記載の組立体。
［７］  組立体（８０、１１０、１４０）であって、前記光スペーサ（９０、１２０、１５０）は、互いに平行ではない少なくとも２つの反射面（９２、９４、１５２、１５４）を含むことを特徴とする上記［１］に記載の組立体。
［８］  組立体（８０、１１０、１４０）であって、前記光スペーサ（９０、１２０、１５０）は直角プリズムを含むことを特徴とする上記［１］に記載の組立体。
［９］  組立体（８０、１１０、１４０）であって、前記光スペーサ（９０、１２０、１５０）は、不規則な形状のプリズムを含むことを特徴とする上記［１］に記載の組立体。
［１０］  撮像組立体（８０、１１０、１４０）であって、
結像レンズ（８８、１１８、１４８）と、
前記結像レンズ（８８、１１８、１４８）に物理的に当接して一体的に連結されており、少なくとも２つの反射面（９２、９４、１２２、１２４、１５２、１５４）を含む光透過性スペーサ（９０、１２０、１５０）と、
前記光透過性スペーサ（９０、１２０、１５０）に物理的に当接して一体的に連結された光検知システム（９６、１２６、１５６）とを備え、
それにより、前記結像レンズ（８８、１１８、１４８）および前記スペーサ（９０、１２０、１５０）に入射する画像光が前記少なくとも２つの反射面（９２、９４、１２２、１２４、１５２、１５４）によって前記光検知システムへと導かれる、
ことを特徴とする撮像組立体。
【図面の簡単な説明】
【００２７】
【図１】本発明による小型の一体型結像組立体の水平実施形態を示す概略側断面図である。
【図２】小型の一体型結像組立体の垂直実施形態を示す概略側断面図である。
【図３】小型の一体型結像組立体の別の水平実施形態の側断面略図である。
【図４】小型の一体型結像組立体のさらに別の水平実施形態を示す概略側断面図である。
【図５】小型の一体型結像組立体の別の水平実施形態を示す概略側断面図である。
【符号の説明】
【００２８】
１０、５０、８０、１１０、１４０  一体型の結像組立体
１１  プラテン
１４、５４、９６、１２６、１５６  光検知システム
１６  入射光
１７  照明光源
１８  対象物
２０、６０、８２、１１２、１４２  画像光
２２、２８、６４、８４、９０、１１４、１２０、１４４、１５０  光学部品
２４、８６、９２、９４、１１６、１２２、１２４、１４６、１５２、１５４  反射面
２６、６２、８８、１１８、１４８  結像レンズ
【図１】
2004343748.tif 000003
【図２】
2004343748.tif 000004
【図３】
2004343748.tif 000005
【図４】
2004343748.tif 000006
【図５】
2004343748.tif 000007